(57)【要約】【課題】垂直軸風力発電機のブースター翼のための変位構造を提供する。【解決手段】変位構造は、支持装置と駆動装置とを備える。支持装置は、台座に設けられ、支持装置には、ブースター翼の接続に使用され、風力発電機のロータブレードの最大回転円周軌跡の外側に位置する接続構造が設けられる。加えて、ブースター翼の遮風面は、ロータの側面の一部のブレードに該当し、これによって、ブースター翼が、使用時に流入する気流によって回転抵抗が生じる、風上側のロータのブレードの一部を遮ることを可能とする。駆動装置は、台座に固定され、支持装置に接続され、ブースター翼の遮風面が、ロータの別の複数の側面を遮ることが可能になる。【選択図】図１
2013519020.tif 000002
【特許請求の範囲】
【請求項１】
垂直軸風力発電機のブースター翼の変位構造であって、
支持装置と駆動装置とを備え、
前記支持装置は、台座に設けられ、
該支持装置には、前記ブースター翼の接続に使用される、前記ブースター翼の接続構造が、前記垂直軸風力発電機のロータの回転を妨げない態様で設けられ、
前記ブースター翼の遮風面は、前記垂直軸風力発電機の前記ロータの側面に該当し、
前記側面は、使用の際の前記ロータの風上側の一部であり、
前記風上面の前記一部に該当するブースター翼は、流入する気流に起因して回転抵抗を受け、
前記ブースター翼は、前記側面を遮ることが可能に構成され、
前記駆動装置は、前記台座に配置され、かつ、前記支持装置に接続され、前記支持装置を変位させ、前記ブースター翼の前記遮風面を前記ロータの別の複数の側面を遮ることが可能に構成された
垂直軸風力発電機のブースター翼の変位構造。
【請求項２】
請求項１に記載の垂直軸風力発電機のブースター翼の変位構造であって、
前記支持装置は、２つの支持棒を有し、
前記２つの支持棒の一端は、それぞれ、前記接続構造によって、前記ブースター翼の上端および下端に接続され、
前記２つの支持棒の長さは、前記風力発電機のロータブレードの最大回転円周軌跡の外側に前記ブースター翼が位置するように形成され、
前記２つの支持棒の他端は、回転可能な接続構造によって、前記風力発電機の前記ロータの固定された中心塔柱、即ち前記固定台座に回転可能に接続され、
駆動装置は、前記支持棒を駆動させて、前記中心塔柱を中心に回転させるために、前記支持棒のうちの１つの前記中心塔柱に回転可能に接続される前記接続構造に接続され、或いは、
前記支持装置は、ブラケットであり、
前記ブラケットには、前記ブースター翼構造が、前記ブラケットに設けられるように、前記ブースター翼のために固定構造が設けてあり、
前記支持装置は、前記垂直軸風力発電機の前記ロータのそばに設けられた基礎によって形成された前記固定台座に設けられ、前記ブースター翼を、前記ロータブレードの前記回転円周軌跡の外部に位置させ、
前記駆動装置は、前記ブラケットを駆動させて前記基礎に対して変位させるために、前記ブラケットまたは前記固定台座に取り付けられ、或いは、
制御装置が、前記駆動装置の開閉制御を行うために、前記駆動装置の起動用部品に接続された
垂直軸風力発電機のブースター翼の変位構造。
【請求項３】
請求項１に記載の垂直軸風力発電機のブースター翼の変位構造であって、
前記支持棒は、２つの部位を有し、
前記２つの部位のうちの、前記ブースター翼に近い部位は、単一支持棒部位であり、
前記該単一支持棒部位の一端は、前記ブースター翼に接続され、
他の１つの部位は、２つの第２の支持棒を有する二重支持棒部位であり、
前記２つの第２の支持棒の一端には、前記中心塔柱と回転可能に接続するための前記回転可能な接続構造が設けられ、
Ｔ字連結コネクタが、前記単一支持棒部位と前記２つの第２の支持棒との間に設けられ、
３つの接続部品が、前記Ｔ字連結コネクタにＹ形分布で設けられ、
１つの側の１つの接続部品は、前記単一支持棒部位の前記他端に接続し、
前記Ｔ字連結コネクタの他の側の２つの接続部品は、それぞれ、前記２つの第２の支持棒の前記他端に接続された
垂直軸風力発電機のブースター翼の変位構造。
【請求項４】
請求項２または請求項３に記載の垂直軸風力発電機のブースター翼の変位構造であって、
前記支持棒と前記ブースター翼との間の前記接続構造は、２つの穴が設けられた１つの主コネクタを有し、前記支持棒、または、前記単一支持棒部位の関係する端部は、前記穴の１つに挿入し固定され、前記ブースター翼の上端または下端は、他の穴に挿入し固定された
垂直軸風力発電機のブースター翼の変位構造。
【請求項５】
請求項２または請求項３に記載の垂直軸風力発電機のブースター翼の変位構造であって、
前記支持装置は、さらに斜めドローバーを備え、
前記斜めドローバーの一端には、前記ブースター翼の上端と固定される接続構造が設けられ、
他端には、前記中心塔柱に回転可能に接続される、回転可能な接続構造が設けられ、
前記斜めドローバーと前記中心塔柱とを接続させる前記接続構造の位置は、前記ブースター翼の上端で接続される前記支持棒と、前記中心塔柱とを接続する前記接続構造の位置よりも高い
垂直軸風力発電機のブースター翼の変位構造。
【請求項６】
請求項５に記載の垂直軸風力発電機のブースター翼の変位構造であって、
前記斜めドローバーを前記中心塔柱に接続する、前記回転可能な接続構造は、軸受装置であり、
内輪と、前記軸受装置内で相対的に回転可能な外輪の１つとは、他方が前記斜めドローバーの一端に接続するために使用される状態において、前記中心塔柱に接続され、
前記斜めドローバーの他端は、前記支持棒と前記ブースター翼の上端とを接続する主コネクタに固定される
垂直軸風力発電機のブースター翼の変位構造。
【請求項７】
請求項２に記載の垂直軸風力発電機のブースター翼の変位構造であって、
前記支持棒を前記中心塔柱に接続する、前記回転可能な接続構造は、軸受装置であり、
外側スリーブが、前記軸受装置の前記外輪の外側に固定され、
前記外側スリーブには、穴が設けられ、
前記支持棒の端部は、前記穴に挿入され固定された
垂直軸風力発電機のブースター翼の変位構造。
【請求項８】
請求項３に記載の垂直軸風力発電機のブースター翼の変位構造であって、
前記支持棒の前記２つの第２の支持棒を前記中心塔柱に接続する、回転可能な前記接続構造は、軸受装置であり、
外側スリーブが、前記外輪の外側に固定され、
前記外側スリーブには、２つの穴が設けられ、
前記２つの支持棒の端部は、前記２つの穴に挿入され固定された
垂直軸風力発電機のブースター翼の変位構造。
【請求項９】
請求項２、３、５、６のいずれか一項に記載の垂直軸風力発電機のブースター翼の変位構造であって、
前記支持棒の断面は、楕円形であり、該楕円形断面の長軸は、水平方向に設けられ、或いは、
前記単一支持棒部位、および／または、前記第２の支持棒の断面は、楕円形であり、該楕円形断面の長軸は、水平方向に設けられ、および／または、
前記斜めドローバーの断面は、楕円形であり、該楕円形断面の長軸は、水平方向に設けられ、或いは、
前記支持装置の材質は、アルミ型材またはアルミ製部材である
垂直軸風力発電機のブースター翼の変位構造。
【請求項１０】
請求項９に記載の垂直軸風力発電機のブースター翼の変位構造であって、
前記いくつかの支持棒の楕円形断面の長軸に対する短軸の割合は、１／２〜３／４である
垂直軸風力発電機のブースター翼の変位構造。
【発明の詳細な説明】
【技術分野】
【０００１】
本発明は風力発電機技術分野の一つとして、垂直軸風力発電機の組立部品を、特にブースター翼付き垂直軸風力発電機のブースター翼のための変位構造を提供する。
【背景技術】
【０００２】
既存技術では、垂直軸風力発電機の効率が高い、パワーが大きい、取付・使用しやすい、耐用期間が長い等の長所はますます著しくなっている。しかし、ロータが風力を受けて回転する時に、ロータの回転速度は、風力の増強に従って正比例をなして増大するわけではない。特に風力があまり強くない場合では、この現象はさらに明らかである。流入する風の気流を受ける時に、その風上側が受けるのは、ロータの回転を推進させる推力であり、反対側が受けるのは、ロータの回転を止める抗力であり、上述の２種類の合力は、ロータが回転し、仕事をする有効な動力である。しかし、風上側には風抵抗があり、垂直軸風車ロータの風受け性能、および、風力発電機の効率を明らかに低下させる。
【０００３】
既存技術では、前記問題を解決する方法は、ロータの風上側に導流装置を設け、風を導流装置の流路経由でロータへ吹かせてロータの回転を推進し、導流風場を構築する。このような自然風を導流路へ導いて、動翼を駆動させ、風抵抗を取り除く方法は、自然風の風力を低下させる欠点を有する。一方で、自然風の風向は、頻繁に変化することがある。このため、導流装置が風向に応じて導流方向を変更できなければ、導流装置によってもたらされる風力エネルギーの損失がさらに大きくなる。風向変化に応じて導流方向を変化できるように導流装置が設計されている場合には、導流装置の構造が複雑になってしまい、使用、管理、保守が行いにくくなり、例えば、風力発電施施設などの環境が厳しくなることも多い。
【０００４】
本願出願人は、風抵抗モーメントを克服可能な技術を開発した。抵抗モーメントが生じる、ロータの風上側の前面にブースター翼が設けられる、この技術によれば、動翼への気流を止めることができる。この通風領域の一部がブースター翼によって切断されると、ロータの回転性能および風力発電機の発電能力と発電効率とが明らかに向上されるだろう。自然界の風向は常に変化するので、動翼に対するブースター翼の位置もまた、風向の変化に従って変化するべきである。なお、強風の場合、ロータに発生する有効な推進モーメントに対する抵抗モーメントの割合が非常に小さくなって、この場合では、動翼の前にブースター翼を設ける必要はない。この時は、ブースター翼を、ロータの風上側から、ロータの風下側、つまり、下流側に移動させる、或いは、ロータから単に離す必要がある。
【発明の概要】
【発明が解決しようとする課題】
【０００５】
本発明は、ブースター翼の位置が変更しやすく、構造が簡単である、垂直軸風力発電機のブースター翼の変位構造を提供することを目的とする。
【課題を解決するための手段】
【０００６】
垂直軸風力発電機のロータは、垂直軸の中心塔柱に回転可能に固定され、発電機ユニットのロータと接続される。ロータには、いくつかのブレードが設けられており、また、ロータは、遮風面を有する遮風部材であるブースター翼を備える。このブースター翼は、支持装置に設けられて、垂直軸風力発電機のロータの一方側の面に該当する。当該一方側は、使用時におけるロータの風上面の一部である。風上面のこの部分に該当するロータブレードは、流入する風の気流の動きによって回転が妨げられ、このブースター翼によって、この一方の面が遮風され得る。
【０００７】
本発明の提供する前記変位構造は、風力発電機のロータの動作に順応するように、この支持装置を変位させることができる。
【０００８】
そのために、本発明の提供する垂直軸風力発電機のブースター翼の変位構造は、支持装置と駆動装置を備える。この支持装置は、台座に設けられており、また、当該支持装置には、ブースター翼に接続するためのブースター翼の接続構造が、前記垂直軸風力発電機のロータが回転しないように、設けられている。ブースター翼の遮風面は、垂直軸風力発電機のロータの一方側の面に該当する。当該一方の面は、ロータ使用時の風上側の一部である。風上面のこの部分に一致するロータブレードは、流入する風の気流の動きによって、回転抗力の作用を受け、ブースター翼によって、この一方の面が遮風される。
【０００９】
駆動装置は、台座に固定され、支持装置に接続され、当該支持装置を変位させて、ブースター翼がロータの一方の面を遮風することを可能とする。
【００１０】
支持装置は、以下の通りである。支持装置は、２つの支持棒を備えており、これらの一端は、ぞれぞれ、接続構造を介して、ブースター翼の上端と下端とに接続されており、これらの長さは、ブースター翼が、風力発電機のロータブレードの最大回転円周軌跡の外側に位置するように構成されており、２つの支持棒の他端は、回転可能な接続構成を介して、風力発電機のロータを設ける、固定された中心塔柱、即ち固定台座に回転可能に接続される。駆動構造は、支持棒を、中心塔柱の周りを回転させるために、支持棒の１つの中心塔柱に回転可能に接続された接続構造に接続される。
【００１１】
上述の支持装置は、ブラケットでもよく、そのブラケットには、ブースター翼を当該ブラケットに設けるためのブースター翼固定構造が設けられる。支持装置は、垂直軸風力発電機のロータのそばに設けられた基礎によって形成された固定台座に設けられ、ブースター翼をロータブレードの回転円周軌跡の外部に位置させる。駆動装置は、ブラケットを駆動させて基礎に対して変位させるために、ブラケットまたは固定台座に取り付けられる。
【００１２】
制御装置が、駆動装置の開閉制御を行うために、駆動装置の起動用部品に接続されてもよい。
【００１３】
支持棒は、２つの部位を有し、２つの部位のうちの、ブースター翼に近い部位は、単一支持棒部位であり、その一端は、ブースター翼に接続され、他の１つの部位は、２つの第２の支持棒を有する二重支持棒部位であり、その一端には、中心塔柱と回転可能に接続するための回転可能な接続構造が設けられる。Ｔ字連結コネクタが、単一支持棒部位と２つの第２の支持棒との間に設けられ、３つの接続部品が、Ｔ字連結コネクタにＹ形分布で設けられ、１つの側の１つの接続部品は、単一支持棒部位の他端に接続し、Ｔ字連結コネクタの他の側の２つの接続部品は、それぞれ、２つの第２の支持棒の他端に接続される。
【００１４】
支持棒とブースター翼との間の接続構造は、以下のとおりである。接続構造は、２つの穴が設けられた１つの主コネクタを有し、支持棒、または、単一支持棒部位の関係する端部は、穴の１つに挿入し固定され、ブースター翼の上端または下端は、他の穴に挿入し固定される。
【００１５】
支持装置は、さらに斜めドローバーを備え、斜めドローバーの一端には、ブースター翼の上端と固定される接続構造が設けられ、他端には、中心塔柱に回転可能に接続される、回転可能な接続構造が設けられ、斜めドローバーと中心塔柱とを接続させる接続構造の位置は、ブースター翼の上端で接続される支持棒と、中心塔柱とを接続する接続構造の位置よりも高い。
【００１６】
斜めドローバーを中心塔柱に接続する、回転可能な接続構造は、中心塔柱の頂部に設けられる。
【００１７】
斜めドローバーを中心塔柱に接続する、回転可能な接続構造は、軸受装置であり、内輪と、軸受装置内で相対的に回転可能な外輪の１つとは、他方が斜めドローバーの一端に接続するために使用される状態において、中心塔柱に接続され、斜めドローバーの他端は、支持棒とブースター翼の上端とを接続する主コネクタに固定される。
【００１８】
支持棒を中心塔柱に接続する、回転可能な接続構造は、軸受装置であり、外側スリーブが、軸受装置の外輪の外側に固定され、外側スリーブには、穴が設けられ、支持棒の端部は、穴に挿入され固定される。
【００１９】
支持棒の断面は、楕円形であり、該楕円形断面の長軸は、水平方向に設けられ、或いは、単一支持棒部位、および／または、第２の支持棒の断面は、楕円形であり、該楕円形断面の長軸は、水平方向に設けられ、および／または、斜めドローバーの断面は、楕円形であり、該楕円形断面の長軸は、水平方向に設けられる。
【００２０】
好ましくは、いくつかの支持棒、単一支持棒部位、および／または、第２の支持棒の楕円形断面の長軸に対する短軸の割合は、１／２〜３／４の範囲にある。
【００２１】
好ましくは、支持棒および種々の部品の材質は、アルミ型材またはアルミ製部材であり、軽量アルミ型材または軽量アルミ製部材がさらに好ましい。
【００２２】
本発明が提供する垂直軸風力発電機のブースター翼の変位構造は、合理的で簡単な構成であり、風向、風速の変化に応じてブースター翼を容易に回転させることができ、ブースター翼と発電機のロータとの相対的な位置を調節し、風力発電機の効率を高めることができる。
【図面の簡単な説明】
【００２３】
【図１】本発明の提供する垂直軸風力発電機のブースター翼の変位構造、及び、それに接続されるロータ式ブースター翼を示す正面図である。
【図２】図1の俯瞰構造を示す図である。
【図３】図1の仰視構造を示す図である。
【図４】垂直軸風力発電機のロータに設けられる平板式ブースター翼の俯瞰構造を示す図である。
【図５】垂直軸風力発電機のロータに設けられるロータ式ブースター翼の俯瞰構造を示す図である。
【図６】図５に示されたブースター翼を備えた垂直軸風力発電機の正面構造を示す図である；
【図７】支持棒とブースター翼とを接続させる主コネクタの構造を示す図である。
【発明を実施するための形態】
【００２４】
本発明の提供する垂直軸風力発電機のブースター翼の変位構造は、以下のブースター翼、及び、それに対応する垂直軸風力発電機のロータとともに使用される。当該垂直軸風力発電機は、図５および図６に示すように、中心塔柱９（図1に示す）上に回転可能に固定された垂直ブレードロータ１を備える。ロータ上には、いくつかのブレード２が設けられ、垂直ブレードロータ１におけるブレード２は、少なくとも２本の支持棒５によってロータのハブに接続される。少なくとも１本の支持棒によって接続されるハブは、発電ユニットのロータに接続される。発電ユニットに接続されていないロータハブは、回転可能に塔柱９に設けられる。発電ユニットのロータに対応するステータもまた、塔柱９に固定される。このブレード２の形状は、垂直の柱状体であり、その水平断面は、飛行機の翼の断面形状を呈し、即ち、ロータの回転軸に相当し、その外側表面と風上端面は、円滑に推移する流線型アーク面であり、複数のブレードの風上表面の間隔は、比較的大きく、風下方向に沿って徐々に縮小し、柱状体のいくつかの水平断面は、同じ大きさであり、いくつかの方向に形成されている（図５および図６に示す）。また、ブースター翼が含まれ、それは、平板式ブースター翼２’（図４参照）であってもよいし、ロータ式ブースター翼２０（図１，図５，図６参照）であってもよい。平板式ブースター翼２’の上下部には、それぞれ接続軸があり、当該平板の板面は、遮風表面である。
【００２５】
ロータ式ブースター翼は、ロータ軸５に回転可能に設けられた、垂直なロータでもよく、このロータ軸５には、ロータ１’（図６参照）が設けられてもよく、また、複数のロータ１（図１参照）が設けられてもよい。ロータ１或いは１’において、ブレード２３は、ハブ４を介して接続棒３に固定され、ハブ４は、ロータ軸５の周りに配置され、軸受６がハブ４とロータ軸５との間に設けられる。
【００２６】
ロータ式ブースター翼は、ブースター翼の変位構造上に設けられる。当該変位構造は、支持装置と駆動装置とを備える。支持装置が台座に設けられて、また、支持装置には、ブースター翼を風力発電機のロータブレードの最大円周軌跡a（図５参照）の外側に接続するための接続構造があり、ブースター翼の遮風面は、ロータ１の側面の一部のブレード２に該当し、これで使用中の当該ブースター翼は、流入する気流を受ける風上側のブレードを遮ることができる。そこでは、動作中に気流によって回転が妨げられる。駆動装置は、台座に固定され、かつ支持装置に接続され、支持装置の変位によって、ブースター翼の遮風面は、ロータの別の側面をブロックできる。
【００２７】
詳しいことは図１，２，３，４，５，６に示すように、ブースター翼ロータ１のロータ軸５の上下両端は、それぞれ上下2本の支持棒２１の一端に固定され、支持棒2本の他端は、中心塔柱９に回転可能に固定され、当該支持棒2本は、それぞれ垂直ロータブレード２の上部と下部に設けられ、当該ブースター翼は、遮風物として、ロータブレードの回転円周軌跡aの外部に設けられ、それにより、垂直軸風力発電機のロータの回転を妨げなくロー他の風上面の前に設けられることができる。それは、ロータの風上側を遮り、風力発電機の垂直ロータの側面を遮る。そこでは、は、流入する気流Ａを受けて、回転抵抗が作用される。駆動構造は、中心塔柱９に接続するための支持棒２本のいずれかの接続構造、すなわち、上述の、固定台座に接続され、それによって支持棒が中心塔柱の周りを回転するよう駆動し、かつブースター翼の回転を駆動させて、ブースター翼とロータとの相対位置を変更し、それによって風向の変化に適応させる。
【００２８】
支持棒２１とブースター翼の回転可能な接続構造は、以下通りである。図７に示すように、主コネクタ２には穴２０１，２０２があり、支持棒２１に対応する端部は、その一つの穴に挿入し固定され、ブースター翼の上端或いは下端をもう一つの穴に挿入し固定させる。
【００２９】
支持棒と中心塔柱とを回転可能に接続する接続構造は、軸受装置であり、軸受装置に対し、相対的に回転できる内輪と、外輪の１つは、支持棒、大２の支持棒、或いは、斜めドローバーと接続され、他の外輪は、中心塔柱に固定される。
【００３０】
具体的実施例では、支持棒と軸受の外輪とが接続され、支持棒と軸受外輪とを支持棒コネクタで接続させ、支持棒コネクタは、外輪の外側に設けられる外側スリーブであってもよく、その外側スリーブには複数の穴が形成され、支持棒の端部を当該穴に挿入して、ねじで固定される。
【００３１】
図１，２，３に示すように、支持棒は、２つの部位を備えていてもよく、ブースター翼に近い部位を単一棒部とし、上記主コネクタでその一端をブースター翼と接続させ、もう一つの部位は、二重部位であり、第２の支持棒２本、例えば、ブースター翼の上端に固定される支持棒の支持棒１３，１４、ブースター翼の下端に固定される支持棒の支持棒１７，１８を備える。当該支持棒２本の一端は、前記構造で軸受１１の外輪に固定することもでき、第２の支持棒１３，１４は、支持棒コネクタ１５で軸受１１の外輪と固定され、支持棒１７，１８は、支持棒コネクタ１９で軸受１１の外輪と固定され、即ち、支持棒コネクタ１５，１９に対応する側壁に二つの穴をあけ、それに、１つの支持棒の２つの第２の支持棒の両端が挿入され固定させて、このような態様で、中心塔柱との回転可能な接続を実現させることができる。単一支持棒部と２つの第２支持棒との間に、Ｔ字連結コネクタ１２，１６を設け、当該Ｔ字連結コネクタにＹ字形分布となる３つの接続部を設け、そのうち１つの側の１つの接続部は、単一支持棒部の他端に接続し、Ｔ字連結コネクタの他端側に設けられる２つの接続部は、それぞれ２つの第２の支持棒の他端端に接続される。
【００３２】
上記２つの第２支持棒を有する支持棒は、自分自身が支える重力及び受けた抗力を分解することができ、当該構造の強度と剛性は、単一支持棒の支持棒よりさらに強くなる。ロータの抗力をいっそう低減できるために、当該支持棒をさらに細くできる。
【００３３】
図1に示すように、上部支持棒に接続する軸受の外輪には、軸受の外輪の回転を駆動するための駆動器１０を接続することができる。当該駆動器は、中空の中心塔柱内に設けて固定される。当該駆動器は。電動機でもよい。当該電動機の出力軸は、軸受の外輪に接続される。電動機の電気エネルギー入力部は、電力網に接続することができる。また、風力発電機に設けられる蓄電構造を接続することもできる。当該蓄電構造は、風力発電機から電力を得てもよい。ロータ式ブースター翼のロータとロータ軸の間に発電ユニットを設けてもよい。また、ブレードを遮るためのブースター翼として使用しつつ、発電機として使用されてもよく、発生した電気エネルギーを蓄電構造で蓄電し、それによってブースター翼の回転を駆動させる構造でもよい。
【００３４】
支持装置は、斜めドローバーを備え、その一端に、ブースター翼の上端に固定される接続構造が設けられ、他端には、中心塔柱に回転可能に接続される、回転可能な接続構造が設けられる。斜めドローバーと中心塔柱とを接続させる接続構造の位置は、ブースター翼の上端に接続される支持棒と中心塔柱とを接続するための接続構造の位置よりも高い。
【００３５】
詳しいことは図１，６に示すように、ブースター翼１のロータ軸５の上端に接続される主コネクタ２の上部には、補強リブ２０３（図７参照）が設けてあり、補強リブ２０３には、斜めドローバー７の一端を固定させるための接続構造が設けられている。斜めドローバー７の他端は、斜め上方に向かって中心塔柱９まで延び、塔柱９と回転可能に接続する接続構造を形成するための塔柱９の頂部の斜めドローバー軸受８と接続される。斜めドローバーによって、ブースター翼と中心塔柱との接続をいっそう強固にすることができる。
【００３６】
支持装置における各支持棒、主コネクタ、Ｔ字連結コネクタ、支持棒コネクタ等の材質は、アルミ型材或いはアルミ製品である。軽質アルミ型材で造られた支持装置は、重量が軽い、抗力が小さいといった利点を有している。
【００３７】
支持棒、または、単一支持棒部、もしくは、第２の支持棒の２部位タイプの支持棒の種々のボディの好ましい断面形状は、楕円形であり、当該楕円形の長軸は、水平方向に設けられる。
【００３８】
斜めドローバーの断面もまた、楕円形状であってもよく、その長軸は、水平方向に設けられてもよい。
【００３９】
種々の支持棒の楕円形断面の長軸に対する短軸の割合は、1/2〜3/4である。
【００４０】
中心塔柱に設けられる各軸受は、標準部品であってもよく、或いは、異なる種類の転がり軸受、例えば、ころ軸受等であってもよい。
【００４１】
制御装置が、駆動装置の開閉制御を行うために、駆動装置の起動用部品に接続されてもよい。この機構は、風向指示器にしたがって、信号を制御器に伝達する。風向指示器は、順次、駆動器に命令を与え、ブースター翼の回転機構が、風上側または風下側に同期して回転すること、または、風向が変化した際のロータの新たな風上側に回転することを可能にする。この制御器は、ＰＬＣコントローラＭ３４０を利用してもよい。
【００４２】
ブースター翼は、中心塔柱と接続してもよく、また、風力発電機に近い固定ブラケットと接続してもよい。例えば、風力発電機のロータ以外のグラウンドに軌道を設け、当該軌道にブラケットを移動可能に設置し、当該ブラケットにプレート或いはロータ式ブースター翼を固定し、ロータブレードに対する相対的な位置関係は、前記通りと同じでもよく、これにより、ロータの回転による風がロータブレードに流入することを止めることができる。当該ブラケットには複数の車輪を設けてあり、それらは、駆動構造と接続され、当該駆動構造にブレーキ装置が設けられる。当該駆動構造を起動すると、ブラケットを軌道に沿って移動させることができる。ブレーキの場合、駆動構造に設けられるブレーキ装置でブレーキをすることができる。
【００４３】
ブースター翼の固定、変位を行える装置は多すぎるので、上記の実施例のみが説明されたが、上述の実施例は、本発明を限定するものではない。
【産業上の利用可能性】
【００４４】
本発明が提供する垂直軸風力発電機のブースター翼変位の構造は、垂直軸風力発電機のブースター翼位置の変更に使用される。
【符号の説明】
【００４５】
１…ブースター翼
１…垂直ブレードロータ（ブースター翼ロータ）
２…垂直ロータブレード
２…平板式ブースター翼
２…主コネクタ
３…接続棒
４…ハブ
５…支持棒
５…ロータ軸
６…軸受
７…斜めドローバー
８…斜めドローバー軸受
９…中心塔柱
１０…駆動器
１１…軸受
１３…第２の支持棒
１５…支持棒コネクタ
１７…支持棒
１９…支持棒コネクタ
２０…ロータ式ブースター翼
２１…支持棒
２３…ブレード
２０１…穴
２０３…補強リブ
【図１】
2013519020.tif 000003
【図２】
2013519020.tif 000004
【図３】
2013519020.tif 000005
【図４】
2013519020.tif 000006
【図５】
2013519020.tif 000007
【図６】
2013519020.tif 000008
【図７】
2013519020.tif 000009
【国際調査報告】
2013519020.tif 000010
2013519020.tif 000011
2013519020.tif 000012
2013519020.tif 000013
2013519020.tif 000014
2013519020.tif 000015
2013519020.tif 000016